(57)【要約】【課題】面倒なメンテナンスなしで水の自動乾燥ができる酸素富化空気を提供する。【解決手段】空気中の酸素を濃縮する酸素富化手段１５で濃縮した酸素富化空気は吸引手段１０で吸引され、吐出口導管３を経て吐出口７から吐出される。酸素富化手段１５で凝集した水は排水導管１９を経てドレンタンク１６に溜まる。酸素富化空気の発生運転中はドレンタンク１６に備えた排気口１７から酸素富化空気が漏れないように排気口コック１８を閉じている。酸素富化空気の発生運転の終了後は空気流路を切り換え、酸素富化手段１５を通さない空気吸気口１２より外気を直接吸気する。吐出口導管３に設けた吐出口導管コック１４を閉じ排気口コック１８を開き、空気吸気口１２より取り込まれた外気は排水導管１９を経てドレンタンク１６内の水を乾燥する。乾燥により揮発した水分は排気口１７から外気に排気されるように制御することで、自動で排水することができる。【選択図】図１
2006247552.tif 000002
【特許請求の範囲】
【請求項１】
空気中の酸素を濃縮する酸素富化手段と、前記酸素富化手段に外気を取り込む吸気口と、前記酸素富化手段を通さずに外気を取り込む空気吸気口と、前記吸気口と前記空気吸気口のいずれかを空気流路として切り換える空気流路切換手段と、前記酸素富化手段で濃縮した酸素富化空気を吸引する吸引手段と、前記酸素富化手段で濃縮した酸素を前記酸素富化手段の外部へ吐出する吐出口と、前記酸素富化手段と前記吐出口とを接続する吐出口導管と、前記酸素富化手段で濃縮した水を溜めるドレンタンクと、前記ドレンタンクに溜まった水を蒸発排気する排気口と、前記空気吸気口から吸気した空気を前記ドレンタンクに導いて内部の水を蒸発させて排気するように前記空気流路切換手段を切り換える制御手段とを備えた酸素富化機。
【請求項２】
吐出口導管に設けた吐出口導管コックと、排気口に設けた排気口コックと、前記吐出口導管とドレンタンクを接続する排水導管と、酸素富化空気の濃縮運転中は前記吐出口導管コックを開くとともに前記排気口コックを閉じ、酸素富化空気の濃縮運転終了後は前記吐出口導管コックを閉じるとともに前記排気口コックを開き、かつ前記空気吸気口から吸気した空気を前記排水導管に導くように空気流路切換手段を切り換える制御手段とを備えた請求項１記載の酸素富化機。
【請求項３】
酸素富化空気の濃縮運転の途中に、ドレンタンクに溜まった水の蒸発排気運転を行なう請求項１または２記載の酸素富化機。
【請求項４】
湿度検出手段を備え、前記湿度検出手段で検出した湿度に応じて、酸素富化空気の濃縮運転の途中に行なう蒸発排気運転の頻度を変更する請求項３に記載の酸素富化機。
【請求項５】
傾斜検出手段を設け、蒸発排気運転中に酸素富化機本体の傾きに応じて排気口コックを開閉し、吸引手段を制御する請求項１〜４のいずれか１項に記載の酸素富化機。
【請求項６】
空気中の酸素を濃縮する酸素富化手段と、前記酸素富化手段に外気を取り込む吸気口と、前記酸素富化手段で濃縮した酸素富化空気を吸引する吸引手段と、前記酸素富化手段で濃縮した酸素を前記酸素富化手段の外部へ吐出する吐出口と、前記酸素富化手段と前記吐出口とを接続する吐出口導管と、前記酸素富化手段で濃縮した水を溜めるドレンタンクと、前記ドレンタンクに溜まった水を蒸発排気する排気口と、前記排気口に設けた排気口コックと、前記吐出口導管と前記ドレンタンクを接続する排水導管と、前記排水導管に設けた排水導管コックと、前記ドレンタンクに溜まった水を乾燥させる空気を取り込む乾燥空気吸気口と、乾燥空気を吸引する乾燥モーターと、酸素富化空気の濃縮運転中は前記排水導管コックを閉じるとともに前記排気口コックを開き、酸素富化空気の濃縮運転の途中では所定の時間毎に前記排気口コックを閉じるとともに前記排水導管コックを開くように制御する制御手段とを備えた酸素富化機。
【請求項７】
酸素富化空気の濃縮運転開始より初回の排水導管コックの開閉までは乾燥モーターを停止するように制御する請求項６に記載の酸素富化機。
【請求項８】
排水導管コックを開いた状態では乾燥モーターを停止するように制御する請求項５または７に記載の酸素富化機。
【請求項９】
排水導管に水位検出手段を設け、排水導管内に溜まった水位に応じて排水導管コックの開閉制御を行なう請求項６〜８のいずれか１項に記載の酸素富化機。
【請求項１０】
傾斜検出手段を設け、装置本体の傾きに応じて排気口コックを開閉する請求項６〜９のいずれか１項に記載の酸素富化機。
【請求項１１】
装置本体の傾きに応じて乾燥モーターを制御する請求項１０に記載の酸素富化機。
【発明の詳細な説明】
【技術分野】
【０００１】
本発明は、酸素富化手段を用いて得られる、いわゆる酸素富化空気を使用者に提供する酸素富化機に関するものである。
【背景技術】
【０００２】
従来の酸素富化機は、空気中の酸素を濃縮して酸素富化空気を発生させる酸素富化手段と、その酸素富化手段を内蔵した本体と、この本体に接続され使用者に富化酸素を供給する酸素吐出口とで基本的に構成されていた（例えば、特許文献１参照）。
【特許文献１】特開平１０−２３４８３６号公報
【発明の開示】
【発明が解決しようとする課題】
【０００３】
しかし、酸素富化機では、酸素富化膜により酸素濃度を高めるとともに水蒸気も濃縮され水が生成される。前記従来の酸素富化機ではこの点について触れていないが、一般的には、水はドレンタンクに溜め、使用後に使用者によって手動で排水するものであった。ところが、酸素富化機を使用する使用者はさまざまであり、酸素富化機の取り扱いに不慣れな高齢者等では、排水が行なわれなかったりするケースが生じるという課題があった。
【０００４】
本発明は、前記従来の課題を解決するもので、生成した水の処理が自動的に簡易に行なえる酸素富化機を提供することを目的とする。
【課題を解決するための手段】
【０００５】
前記従来の課題を解決するために、空気中の酸素を濃縮する酸素富化手段と、前記酸素富化手段に外気を取り込む吸気口と、前記酸素富化手段を通さずに外気を取り込む空気吸気口と、前記吸気口と前記空気吸気口のいずれかを空気流路として切り換える空気流路切換手段と、前記酸素富化手段で濃縮した酸素富化空気を吸引する吸引手段と、前記酸素富化手段で濃縮した酸素を前記酸素富化手段の外部へ吐出する吐出口と、前記酸素富化手段と前記吐出口とを接続する吐出口導管と、前記酸素富化手段で濃縮した水を溜めるドレンタンクと、前記ドレンタンクに溜まった水を蒸発排気する排気口と、前記空気吸気口から吸気した空気を前記ドレンタンクに導いて内部の水を蒸発させて排気するように前記空気流路切換手段を切り換える制御手段とを備えたものである。
【０００６】
これにより、酸素富化空気の濃縮運転時に生成した水の処理が、蒸発排気により、使用者にかかわらず、自動的に簡易に行なえる。
【発明の効果】
【０００７】
本発明の酸素富化機は、生成した水をドレンタンクに溜め、これを蒸発排気するようにしたことで、その処理が自動的に簡易に行なえるものである。
【発明を実施するための最良の形態】
【０００８】
第１の発明は、空気中の酸素を濃縮する酸素富化手段と、前記酸素富化手段に外気を取り込む吸気口と、前記酸素富化手段を通さずに外気を取り込む空気吸気口と、前記吸気口と前記空気吸気口のいずれかを空気流路として切り換える空気流路切換手段と、前記酸素富化手段で濃縮した酸素富化空気を吸引する吸引手段と、前記酸素富化手段で濃縮した酸素を前記酸素富化手段の外部へ吐出する吐出口と、前記酸素富化手段と前記吐出口とを接続する吐出口導管と、前記酸素富化手段で濃縮した水を溜めるドレンタンクと、前記ドレンタンクに溜まった水を蒸発排気する排気口と、前記空気吸気口から吸気した空気を前記ドレンタンクに導いて内部の水を蒸発させて排気するように前記空気流路切換手段を切り換える制御手段とを備えた構成としてあり、また、大２の発明は、吐出口導管に設けた吐出口導管コックと、排気口に設けた排気口コックと、前記吐出口導管とドレンタンクを接続する排水導管と、酸素富化空気の濃縮運転中は前記吐出口導管コックを開くとともに前記排気口コックを閉じ、酸素富化空気の濃縮運転終了後は前記吐出口導管コックを閉じるとともに前記排気口コックを開き、かつ前記空気吸気口から吸気した空気を前記排水導管に導くように空気流路切換手段を切り換える制御手段とを備えた構成としてあり、いずれの発明も酸素富化空気の濃縮運転時に生成した水の処理が、蒸発排気により、使用者にかかわらず、自動的に簡易に行なえる。
【０００９】
第３の発明は、第１、２の発明において、酸素富化空気の濃縮運転の途中に、ドレンタンクに溜まった水の蒸発排気運転を行なうことにより、蒸発排気による乾燥度合いを向上することができる。
【００１０】
第４の発明は、第３の発明において、湿度検出手段を備え、前記湿度検出手段で検出した湿度に応じて、酸素富化空気の濃縮運転の途中に行なう蒸発排気運転の頻度を変更することにより、ドレンタンク内の水の量に応じて効率的に蒸発排気処理することができる。
【００１１】
第５の発明は、第１〜第４のいずれか１つの発明において、傾斜検出手段を設け、蒸発排気運転中に酸素富化機本体の傾きに応じて排気口コックを開閉し、吸引手段を制御することにより、排気口からの水の吐出を防ぐことができる。
【００１２】
第６の発明は、空気中の酸素を濃縮する酸素富化手段と、前記酸素富化手段に外気を取り込む吸気口と、前記酸素富化手段で濃縮した酸素富化空気を吸引する吸引手段と、前記酸素富化手段で濃縮した酸素を前記酸素富化手段の外部へ吐出する吐出口と、前記酸素富化手段と前記吐出口とを接続する吐出口導管と、前記酸素富化手段で濃縮した水を溜めるドレンタンクと、前記ドレンタンクに溜まった水を蒸発排気する排気口と、前記排気口に設けた排気口コックと、前記吐出口導管と前記ドレンタンクを接続する排水導管と、前記排水導管に設けた排水導管コックと、前記ドレンタンクに溜まった水を乾燥させる空気を取り込む乾燥空気吸気口と、乾燥空気を吸引する乾燥モーターと、酸素富化空気の濃縮運転中は前記排水導管コックを閉じるとともに前記排気口コックを開き、酸素富化空気の濃縮運転の途中では所定の時間毎に前記排気口コックを閉じるとともに前記排水導管コックを開くように制御する制御手段とを備えた酸素富化機としたことにより、酸素富化空気の濃縮運転とドレンタンク内の水の蒸発排気処理を同時に平行して行なうことができる。
【００１３】
第７の発明は、第６の発明において、酸素富化空気の濃縮運転開始より初回の排水導管コックの開閉までは乾燥モーターを停止するように制御することにより、節電効果が期待できる。
【００１４】
第８の発明は、第６または第７の発明において、排水導管コックを開いた状態では乾燥モーターを停止するように制御することにより、吐出口導管を経て吐出口から出る酸素富化空気の酸素濃度の低下を防ぐことができる。
【００１５】
第９の発明は、第６〜第８のいずれか１つの発明において、排水導管に水位検出手段を設け、排水導管内に溜まった水位に応じて排水導管コックの開閉制御を行なうことにより、排水導管内に溜まった水を適時ドレンタンクに移動し、効率的に蒸発排気処理することができる。
【００１６】
第１０の発明は、第６〜第９のいずれか１つの発明において、傾斜検出手段を設け、装置本体の傾きに応じて排気口コックを開閉することにより、排気口からの水の吐出を防ぐことができる。
【００１７】
第１１の発明は、第１０の発明において、装置本体の傾きに応じて乾燥モーターを制御することにより、装置本体が傾いている間の乾燥モーターの駆動電力を節電することができる。
【００１８】
以下、本発明の実施の形態について、図面を参照しながら説明する。なお、この実施の形態によって本発明が限定されるものではない。
【００１９】
(実施の形態１)
図１〜図４は、本発明の実施の形態１における酸素富化機を示すものである。
【００２０】
図１に示すように、装置本体１は、空気中の酸素を濃縮する酸素富化手段１５を内蔵しており、この酸素富化手段１５には、吐出口導管３を介して使用者の頭にセットされるヘッドセット６が接続されている。そのヘッドセット６には、酸素富化手段１５で得られた酸素富化空気を酸素富化手段１５の外部である使用者の口元に吐出する吐出口７が設けられている。
【００２１】
図２は、本実施の形態における酸素富化機の全体構成を示しており、装置本体１の内部には、空気の酸素の濃度を高めるいわゆる酸素富化空気を発生する酸素富化手段１５を設けているものである。
【００２２】
酸素富化手段１５で濃縮した酸素富化空気を吸引する吸引手段１０は、酸素富化手段１５で生成される酸素富化空気を、吐出口導管３を介して吸引し、ヘッドセット６を経て吐出口７から吐出させる。吸引手段１０には、酸素富化手段１５の酸素富化膜の通過圧損に対抗して酸素富化空気の流量を稼ぐために運転時の圧力が高いベローズポンプを用いている。
【００２３】
酸素富化手段１５は吸気口１１より装置本体１外の外気を取り込んでいるが、装置本体１には酸素富化手段１５を通さずに外気を装置本体１内に取り込む空気吸気口１２も備えている。そして、吸気口１１と空気吸気口１２のいずれかを空気流路として切り換える空気流路切換手段１３を備えている。
【００２４】
吐出口導管３の途中に設けた吐出口導管コック１４は、酸素富化空気の濃縮運転時に生成した水を排水する場合、吐出口導管３を閉じて水が吐出口７の方へ流れるのを防ぐものである。
【００２５】
また、酸素富化手段１５を通過した水を乾燥のために溜めておくドレンタンク１６を備えており、ドレンタンク１６内で蒸発した水分は排気口１７から装置本体１外に排気される。酸素濃縮運転中に排気口１７から酸素富化空気が漏れることを防ぐため、排気口コック１８を設けている。また、吐出口導管３とドレンタンク１６を接続している排水導管１９を設け、吐出口導管３内の水はドレンタンク１６に移動するようになっている。
【００２６】
また、酸素富化空気の湿度を検出する湿度検出手段２０は、本実施の形態では、吐出口導管３に設けているが、酸素富化空気の湿度を検出可能であれば、装置本体１の外部を含めどこに設けてもよい。さらに、装置本体１内には、その傾きを検出する傾斜検出手段２１を備えている。
【００２７】
制御手段２７は、湿度検出手段２０、傾斜検出手段２１からの入力により、吸引手段１０、空気流路切換手段１３、吐出口導管コック１４、排気口コック１８を制御するものである。すなわち、酸素富化空気の濃縮運転中は吐出口導管コック１４を開くとともに排気口コック１８を閉じ、酸素富化空気の濃縮運転終了後は吐出口導管コック１４を閉じるとともに排気口コック１８を開き、かつ前記空気吸気口１２から吸気した空気を排水導管３に導くように空気流路切換手段１３を切り換えるように制御する。なお、運転開始時はドレンタンク１６に溜まった水はなく、空気流路は吸気口１１に切り換えられており、吐出口導管コック１４は開き、排気口コック１８は閉じ、装置本体１は傾いていないものとする。
【００２８】
ここで、前記酸素富化手段１５には、有機高分子の平膜より構成された酸素富化膜ユニット（図示せず）が使用され、分子の種類により膜を通過する速度が異なる原理を応用したもので、空気中の窒素に比べ酸素をよく通すため、比較的酸素濃度の高い空気、いわゆる酸素富化空気が得られる。通常の空気において、酸素が占める割合は約２１％（窒素約７９％）であるが、本実施の形態における酸素富化手段１５の酸素富化膜ユニットを通過後の酸素富化空気においては、酸素が占める割合が約３０％（窒素約７０％）である。また、酸素富化膜ユニットは空気中に含まれる水分を通過させる特性があり、この水分は凝集して水となる。なお、酸素富化膜ユニットの性能により、酸素富化膜ユニットを通過後の酸素富化空気の酸素が占める割合が３０％以上となる場合もある。
【００２９】
また、傾斜検出手段２１は、図３、図４にその一例を示した。
【００３０】
図３は装置本体１が傾いていない場合の傾斜検出手段２１である。傾斜検出手段２１の全体が電気導通性の金属で構成し、第一の端子２２は環状形状部２３に接続している。また、第二の端子２４は環状形状部２３に接触しない状態で環状形状部２３の中を通り抜け、バネ２５を経てオモリ２６に接続されており、第一の端子２２と第二の端子２４は導通がない。
【００３１】
図４は装置本体１が傾いた場合であり、装置本体１の傾きによりオモリ２６が傾き、第一の端子２２は環状形状部２３にて第二の端子２４と接触し、導通状態になる。この導通を検出して傾斜を判定している。
【００３２】
以上のように構成された酸素富化機においてその動作を説明する。
【００３３】
電源スイッチ（図示せず）をオンすると、制御手段２７は吸引手段１０を駆動させる。吸引手段１０は酸素富化手段１５を通して空気を吸引するため、酸素富化空気が発生する。酸素富化空気には水分が含まれており、凝集して水となる。この水は吸引手段１０により吐出口導管３の方へ流れて行くが、重力により下向きに取り付けられている排水導管１９の方へ流れ、排水導管１９を経て、吐出口導管３内の水はドレンタンク１６に溜まって行く。
【００３４】
使用者による運転スイッチ（図示せず）のオフや運転時間計時手段（図示せず）の運転終了時間により、酸素富化空気の発生運転を終了する。運転を終了すれば吐出口導管コック１４を閉じ排気口コック１８を開き、空気吸気口１２から外気を取り込むように制御することで、ドレンタンク１６内の水を蒸発排気により排気口１７より排気する。
【００３５】
このとき前記空気経路の途中、例えば排水導管１９の適所にヒータ等の加熱手段を設けて温風にする構成とすれば蒸発速度を速めてスムーズな蒸発排気が可能となる。
【００３６】
なお、酸素富化空気の濃縮運転の途中に、ドレンタンク１６に溜まった水の蒸発排気運転を間欠的に行なうと、酸素富化空気の発生運転が長時間に及ぶ場合でもドレンタンク１６が満水となることを防ぎ、ドレンタンク１６内の水の蒸発排気を行なうことができる。
【００３７】
また、外気の湿度が高くなると酸素富化空気の湿度も高くなり、ドレンタンク１６内の水の溜まるペースも速くなる。そこで、湿度検出手段２０による湿度の高低に応じて蒸発排気運転の頻度、すなわち、時間間隔や乾燥時間の長さを制御することで、ドレンタンク１６内の水の蒸発排気を効率的に行なうことができる。
【００３８】
また、蒸発排気運転の最中に装置本体１が傾いた場合は、傾斜検出手段２１の検出により傾きに応じて排気口コック１８を閉じることで、ドレンタンク１６内の水が装置本体１の外部にこぼれることを防ぐことができる。このとき、吸引手段１０を制御するが、停止しても駆動したままであってもよい。
【００３９】
以上のように、湿度検出手段２０、傾斜検出手段２１からの入力により、吸引手段１０、空気流路切換手段１３、吐出口導管コック１４、排気口コック１８を制御することで、運転の途中や終了時に使用者は面倒な手動の排水作業（メンテナンス）なしで、排水処理が蒸発排気により、使用者にかかわらず、自動的に簡易に行なえる。
【００４０】
（実施の形態２）
図５は、本発明の実施の形態２における酸素富化機を示すものである。実施の形態１と同一要素については同一符号を付して説明を省略する。
【００４１】
図に示すように、排水導管１９に排水導管コック２８を設けたもので、この排水導管コック２８を閉じると吐出口導管３とドレンタンク１６の間の水や酸素富化空気の移動を防ぐとともに排水導管１９に水を溜める作用がある。また、乾燥モーター２９を備えており、この乾燥モーター２９の駆動により乾燥空気吸気口３０よりドレンタンク１６内に溜まった水を蒸発排気させる空気が取り込まれるようになっている。また、排水導管１９に溜まった水を検出する水位検出手段３１を備えている。
【００４２】
そして、第二の制御手段３２は、傾斜検出手段２１、水位検出手段３１からの入力により、吸引手段１０、乾燥モーター２９、排水導管コック２８、排気口コック１８を制御するものである。すなわち、酸素富化空気の濃縮運転中は排水導管コック２８を閉じるとともに排気口コック１８を開き、酸素富化空気の濃縮運転の途中では所定の時間毎に排気口コック１８を閉じるとともに排水導管コック２８を開くように制御する。同時に吸引手段１０、乾燥モーター２９をも制御して酸素富化空気の濃縮運転とドレンタンク１６に溜まった水の蒸発排気運転を行なうものである。
【００４３】
なお、運転開始時はドレンタンク１６に溜まった水はなく、排水導管コック２８は閉じ排気口コック１８を開き、乾燥モーター２９は駆動し、装置本体１は傾いていないものとする。
【００４４】
以上のように構成された酸素富化機においてその動作を説明する。
【００４５】
電源スイッチ（図示せず）をオンすると、第二の制御手段３２は吸引手段１０を駆動させる。吸引手段１０は酸素富化手段１５を通して空気を吸引するため、酸素富化空気が発生する。酸素富化空気には水分が含まれており、凝集して水となる。この水は吸引手段１０により吐出口導管３の方へ流れて行くが、重力により下向きに取り付けられている排水導管１９の方へ流れて行く。排水導管コック２８が閉じているので、水は排水導管１９内に溜まって行く。
【００４６】
排水導管１９内に溜まった水が満杯になると想定される所定の時間間隔毎に、排気口コック１８を閉じ、排水導管コック２８を開いて、排水導管１９内に溜まった水をドレンタンク１６内に移動させる。排水導管１９内に溜まった水がドレンタンク１６内に移動し終われば、排水導管コック２８を閉じ排気口コック１８を開き、乾燥モーター２９を駆動してドレンタンク１６内の水の蒸発排気を行なう。この制御により、酸素富化空気の発生運転の最中でもドレンタンク１６内の水の蒸発排気を同時に行なうことができる。
【００４７】
なお、酸素富化空気の濃縮運転開始より初回の排水導管コック２８の開閉までは乾燥モーター２９を停止するように制御することで、運転開始直後より最初の排水導管コック２８の開閉までの間の乾燥モーター２９の駆動電力を節電することができる。
【００４８】
また、排水導管コック２８を開いた状態では乾燥モーター２９を停止するように制御すると、乾燥空気吸気口３０から吸い込まれた外気がドレンタンク１６、排水導管１９を経て吐出口導管３内で酸素富化空気と混合されないので、酸素富化空気の酸素濃度の低下を防ぐことができる。
【００４９】
また、排水導管１９内に溜まった水の水位を水位検出手段３１で検出し、水位に応じて排水導管コック２８の開閉を行なうと、排水導管１９内に溜まった水が適時ドレンタンク１６内に移動し、ドレンタンク１６内の水を効率的に蒸発排気することができる。
【００５０】
また、乾燥の最中に装置本体１が傾いた場合は排気口コック１８を閉じることでドレンタンク１６内の水が装置本体１の外部にこぼれることを防ぐことができる。さらに、装置本体１が傾いている間は排気口コック１８を閉じて蒸発排気処理を行なわないので、乾燥モーター２９停止させることで駆動電力を節約することができる。
【００５１】
以上のように、水位検出手段３１、傾斜検出手段２１からの入力により、排気口コック１８、排水導管コック２８、乾燥モーター２９を制御することで、運転の途中や終了時に使用者は面倒な手動の排水作業（メンテナンス）なしで、酸素富化空気の発生運転と同時に排水処理が蒸発排気により、使用者にかかわらず、自動的に簡易に行なえる。
【産業上の利用可能性】
【００５２】
以上のように、本発明にかかる酸素富化機は、生成した水をドレンタンクに溜め、これを蒸発排気するようにしたことで、その処理が自動的に簡易に行なえるものであるので、酸素富化機として、極めて有用なものである。
【図面の簡単な説明】
【００５３】
【図１】本発明の実施の形態１における酸素富化機の構成図
【図２】同酸素富化機の全体構成を示す概略図
【図３】同酸素富化機が傾斜していない場合の傾斜検出手段の構成図
【図４】同酸素富化機が傾斜している場合の傾斜検出手段の構成図
【図５】本発明の実施の形態２における酸素富化機の構成図
【符号の説明】
【００５４】
１  装置本体
３  吐出口導管
６  ヘッドセット
７  吐出口
１０  吸引手段
１１  吸気口
１２  空気吸気口
１３  空気流路切換手段
１４  吐出口導管コック
１５  酸素富化手段
１６  ドレンタンク
１７  排気口
１８  排気口コック
１９  排水導管
２０  湿度検出手段
２１  傾斜検出手段
２７  制御手段
２８  排水導管コック
２９  乾燥モーター
３０  乾燥空気吸気口
３１  水位検出手段
３２  第二の制御手段
【図１】
2006247552.tif 000003
【図２】
2006247552.tif 000004
【図３】
2006247552.tif 000005
【図４】
2006247552.tif 000006
【図５】
2006247552.tif 000007